(57)【特許請求の範囲】
【請求項１】
手掛け部を有して繰り出し口からリードを繰り出し可能に巻き取る巻き取り手段を内蔵した装置本体と、一端が前記装置本体に連結された伸縮棒に糞受け部を設けてなる糞受け具とを備え、
前記糞受け具の伸縮棒は、該伸縮棒の長さ方向に沿って長孔が開口された外パイプの内部に、前記長孔を通して前記外パイプの外方に突出する操作ノブを有した内パイプを、前記外パイプの端部開口から出し入れ可能に収納して、前記内パイプの出入りにより伸縮可能に設けられていて、
前記内パイプの送り出し方向での先端に前記糞受け部が設けられ、該糞受け部が、前記内パイプとともに送り出し可能にして外パイプの内部に収納され、
前記伸縮棒の外パイプの端部開口側に、前記装置本体の繰り出し口から繰り出されるリードが通るリード挿通孔部が設けられ、前記繰り出し口から前記リード挿通孔部に亘るリードが糞受け具の長手方向に沿っており、
前記糞受け部が、外パイプの内部から、前記リード挿通孔部の位置に対して前記内パイプの送り出し方向で該内パイプを介して離間した位置に送り出し可能に設けられていることを特徴とするリード繰り出し装置。
【請求項２】
上記装置本体に、照射方向が糞受け具の長手方向に沿う照明装置が設けられている請求項１に記載のリード繰り出し装置。
【請求項３】
上記糞受け具の糞受け部は、略ハ字状に開き可能に付勢された一対の袋支持アームに柔軟な糞受け袋を着脱可能に取り付けてなるものである請求項１または２に記載のリード繰り出し装置。
【発明の詳細な説明】
【技術分野】
【０００１】
本発明は犬を散歩させる際に首輪に掛けるリードの繰り出し装置に関するものである。
【背景技術】
【０００２】
従来から犬を散歩させる場合、首輪にリードを掛けているが、リードの長さが一定であることから、歩いている犬の動作をコントロールし易い長さであっても、交叉点などにおいて立ち止まるような場合では、随伴者（例えば飼い主）と犬との距離が小さくなってリードに弛みが生じることとなり、そのままではリードを介して犬の動作のコントロールができない場合がある。このようなことから、渦巻きばねなどにより巻き取り方向に付勢されている機構を利用してリードを繰り出し可能に巻き取る巻き取り手段を内蔵し、随伴者側の判断で繰り出し長さを手元操作できるようにしたリード繰り出し装置が提案された。（特許文献１、２、３）
【特許文献１】実公昭６２−０４３９７４号公報
【特許文献２】特開平０４−３６０６３４号公報
【特許文献３】特開２００３−３１９７２９号公報
【発明の開示】
【発明が解決しようとする課題】
【０００３】
ところで犬の散歩に際して犬が排便をする場合が多く、その糞を処理できるように各種の糞処理用具も多く提供されている。しかしながら、リードや上記リード繰り出し装置と糞処理用具とを共に持ち歩く必要がり、犬が歩いているときにはその用具を持つことに煩わしさが伴なう。また、糞を処理する場合には随伴者が片手でリードなどを持ち、他方の片手で用具を取り扱わなければならず、屈み込むなどの姿勢を取る必要もあることからその作業も簡単には行なえるものではなかった。
発明者にあっては、犬が排便を行なう場合、排便姿勢を取りたがり、犬が排便することを随伴者が排便前に把握でき、そして犬の尻下に糞受けなどを差し入れるようにして糞を受ければ、随伴者がしゃがんだり大きく屈み込むなどの姿勢をとらずとも糞の処理が簡単になることに着目した。
そこで、本発明は上記事情に鑑み、リードと糞処理用具とを一体として取り扱えるようにすることを課題とし、糞の処理が簡単に行なえるとともに従来の糞処理用具を別に持つ煩わしさを無くした使い勝手の良好なリード繰り出し装置を提供することを目的とするものである。
【課題を解決するための手段】
【０００４】
本発明は上記課題を考慮してなされたもので、手掛け部を有して繰り出し口からリードを繰り出し可能に巻き取る巻き取り手段を内蔵した装置本体と、一端が前記装置本体に連結された伸縮棒に糞受け部を設けてなる糞受け具とを備え、前記糞受け具の伸縮棒は、該伸縮棒の長さ方向に沿って長孔が開口された外パイプの内部に、前記長孔を通して前記外パイプの外方に突出する操作ノブを有した内パイプを、前記外パイプの端部開口から出し入れ可能に収納して、前記内パイプの出入りにより伸縮可能に設けられていて、前記内パイプの送り出し方向での先端に前記糞受け部が設けられ、該糞受け部が、前記内パイプとともに送り出し可能にして外パイプの内部に収納され、前記伸縮棒の外パイプの端部開口側に、前記装置本体の繰り出し口から繰り出されるリードが通るリード挿通孔部が設けられ、前記繰り出し口から前記リード挿通孔部に亘るリードが糞受け具の長手方向に沿っており、前記糞受け部が、外パイプの内部から、前記リード挿通孔部の位置に対して前記内パイプの送り出し方向で該内パイプを介して離間した位置に送り出し可能に設けられていることを特徴とするリード繰り出し装置を提供して、上記課題を解消するものである。
【０００５】
そして、本発明において、上記装置本体に、照射方向が糞受け具の長手方向に沿う照明装置が設けられていることが良好である。
また、本発明において、上記糞受け具の糞受け部は、略ハ字状に開き可能に付勢された一対の袋支持アームに柔軟な糞受け袋を着脱可能に取り付けてなるものであることが良好である。
【発明の効果】
【０００６】
（請求項１の発明の効果）
本発明によれば、リードの繰り出しができる機能と糞を受ける機能との両者を備えているため、従来のように犬の散歩に際して、糞処理用具を別個に持ち歩く必要がなくなる。また、一つの装置でリードをコントロールできる状態で糞受け具の伸長により排便姿勢をとった犬の尻下に糞受け部を差し入れることができ、しゃがんだり屈んだりすることなく糞の受け止めが簡単に行なえる。
そして、糞受け具を糞受けに用いない時点では糞受け部が外パイプ内に収納されて糞受け具全体として棒状となるため、糞受けのための用具を持ち歩いていることを目立たさせることがない。
【０００７】
また、リードが糞受け具の長手に沿うようにすることで、本リード繰り出し装置を持っている手の振りでリードを大きく振ることができるようになり、犬の動作をコントロールし易くなる。
【０００８】
（請求項２の発明の効果）
また、照明装置を有することで、この照明装置を点灯すれば、暗がりにおいても歩行先を安全に確認することができるようになる。
【０００９】
（請求項３の発明の効果）
また、糞受け袋を用いるようにすることで、糞をその糞受け袋に落とし込むことができ、受け止めた糞の処理も簡単に行なえるようになる。
【発明を実施するための最良の形態】
【００１０】
つぎに本発明を図１から図３に示す実施の形態に基づいて詳細に説明する。
図中１はリード繰り出し装置で、該リード繰り出し装置１はリード２を繰り出し可能に巻き取る巻き取り手段３を内蔵した装置本体４とこの装置本体４に連結されている糞受け具５とを備えたものである。この実施の例において装置本体４は上面に前記巻き取り手段３からリード２を繰り出すことができるようにした繰り出し口６が開口されているとともに、巻き取り手段３を覆うケースの一部分を延設して指掛けできる手掛け部７が一体に設けられており、その手掛け部７にリード２の送り出しを任意に止めることができるようにした停止機構（図示せず）の操作レバー８が位置している。
【００１１】
糞受け具５は図示されているように装置本体４の上記手掛け部７とは反対側に位置していて、一端が装置本体４に連結されていて全体形状が略棒状に形成されている。そして、この糞受け具５は装置本体４に連続する外パイプ１０に内パイプ１１を収納して伸縮できるようにした伸縮棒１２の先端に糞受け部１３を設けてなるものであり、伸縮棒１２にあっては、前記外パイプ１０における伸縮棒１２の長さ方向に沿って長孔１４が開口されているとともに、内パイプ１１に一体とされた操作ノブ１５がその長孔１４を通して外パイプ１０の外方に突出していて、操作ノブ１５を長孔１４に沿って移動操作することで外パイプ１０の前記装置本体４に連結されて連続している部分とは反対側の端部開口から内パイプ１１が出し入れ可能にして外パイプ１０の内部に収納されており、内パイプ１１の出入りによって伸縮棒１２が伸縮する。
そして、内パイプ１１の送り出し方向での先端に上記糞受け部１３が設けられ、この糞受け部１３も内パイプ１１とともに送り出し可能にして外パイプ１０の内部に収納されている。
【００１２】
内パイプ１１の送り出し方向での先端に位置する上記糞受け部１３は、上記操作ノブ１５を装置本体４側に最大限に引いて内パイプ１１とともに外パイプ１０の内部に引き入れた収納状態としたときにその外パイプ１０の内部に収まるように設けられているものである。この糞受け部１３は略ハ字状に開閉可能な一対の袋支持アーム１６と糞受け袋１７とからなる。前記袋支持アーム１６は例えば比較的薄い鋼板製の板材として可撓性を有している。このように袋支持アーム１６は可撓性を有していて、それぞれがアーム間開方向に付勢されて略ハ字状に開くことができるとともに、上述したように外パイプ１０内に引き込まれたときには袋支持アーム１６の弾性に抗して合掌状に合わせることができる。よって、上述したように内パイプ１１が外パイプ１０の内部に引き入れられているとき（図１〜３）に外パイプ１０の内壁に当接して一対の袋支持アーム１６は互いに近接状態となって収納され、また一方、内パイプ１１が外パイプ１０の端部開口に向けて送り出されるとき（図４）には、略ハ字状に開くようになる。
【００１３】
一対の袋支持アーム１６に対して上記糞受け袋１７が着脱可能に取り付けていて、上記一対の袋支持アーム１６それぞれを糞受け袋１７の上縁開口の近傍に形成された通し部１８を通すことで取り付けでき、一対の袋支持アーム１６が開くことでその糞受け袋１７の開口が上方に向けて展開した状態となるようにしている。
糞受け袋１７は柔軟な素材からなるものであり、一対の袋支持アーム１６を合掌状に合わせるとともにこの糞受け袋１７を小さく折り畳むことで糞受け部１３を閉じることができ、外パイプ１０の内部にあるときには、折り畳まれた状態で外パイプ１０の内部に位置する。
【００１４】
このように外パイプ１０の内部に内パイプ１１と糞受け部１３を収納した状態にして伸縮棒１２を縮小できるために外観がほぼ棒状となり、他者からは糞受け用品として判断され難くなる。
また、犬が排便動作を行ない始めたときには、この伸縮棒１２を上記操作ノブ１５を利用して伸長させるだけで、図３に示すように、糞受け部１３が、外パイプ１０の内部から、後述のリード挿通孔部の位置に対して内パイプ１１の送り出し方向で該内パイプ１１を介して離間した位置に送り出され、そして、この糞受け部１３が開いて糞受け袋１７の開口が展開されるようになる。即ち、装置本体４の一部分から糞受け具５が長尺な棒状物として伸びているため、開いた糞受け袋１７を取り付けた糞受け部１３を犬の尻の下に差し入れる作業は、犬を連れた人が屈むなどの姿勢をすることなく簡単に行なえる。糞を受け止めた後は糞受け袋１７を袋支持アーム１６から引き抜くようにして取り外せばよく、持参した他の収納袋などにその糞受け袋ごと収納すればよい。新たな糞受け袋を取り付ける場合は、袋支持アーム１６を多少狭めるなどしながら糞受け袋１７の通し部１８に差し入れればよく、合掌状とした袋支持アーム１６と折り畳んだ新たな糞受け袋１７とともに内パイプ１１を外パイプ１０の内部に収納することで、コンパクトな棒状の形態を呈する糞受け具５となる。
【００１５】
外パイプ１０における端部開口側（内パイプ出し入れ側）のパイプ内に、袋支持アーム１６と糞受け袋１７の出入りに支障を来たさない形状であって、内パイプ１１の外周面に摺接可能に接してその内パイプ１１が不用意に移動しないようにする制動体を設けることも可能である。
【００１６】
本実施の例においては、図示されているように、上記伸縮棒１２の外パイプ１０の端部開口側であって、このリード繰り出し装置１の上面側における装置長手方向に沿った中心線上となる位置に、リード２が通るリード挿通孔部１９が設けられていて、上記繰り出し口６からリード挿通孔部１９に亘るリード２が糞受け具５の長手方向に沿っている。このように繰り出し口６からのリード２を、リード挿通孔部１９までの或る程度の長さをもった範囲に亘って装置本体４から糞受け具５まで沿わしているため、手掛け部７を持っている側の腕の少しの振りや手首からの振りで、前記リード挿通孔部１９から犬の首輪に掛けられている部分のリードを大きく振ることができ、少しの動作で犬の動作をコントロールし易くなる。また、必要に応じてもう一方の手で糞受け具５を掴むことで、犬の強い引っ張りにも抗することができて、犬側の強い動きもコントロールし易くなる。さらに、糞受けをするために糞受け具５を伸長して尻下に上記糞受け部１３を差し入れるようにしているときにも、リードを多少巻き込むなどしてから糞受け具５を他方の手で掴みもつようにすれば、犬の不用意な動きも確実に抑えることができる。
【００１７】
さらに本実施の例においては、上記装置本体４の糞受け具５側の近傍位置に、照射方向が糞受け具５の長手方向に沿う照明装置２０を設けていて、装置本体４に内蔵された図示しない電源からの給電によってこの照明装置２０を点灯することで、本リード繰り出し装置１の先端を向けた前方を明るくすることができ、暗がりであっても前方確認しながら安全に犬を連れ回すことができる。なお、図において符号２１は照明装置２０の点灯と消灯とを切り換える点消灯スイッチを示している。
【図面の簡単な説明】
【００１８】
【図１】本発明におけるリード繰り出し装置の一例を示すもので、（ａ）は側面から見た状態で示す説明図、（ｂ）は一例を上方から見た状態で示す説明図である。
【図２】縮小時の糞受け具を示す説明図である。
【図３】伸長時の糞受け具を示す説明図である。
【符号の説明】
【００１９】
１…リード繰り出し装置
２…リード
３…巻き取り手段
４…装置本体
５…糞受け具
６…繰り出し口
７…手掛け部
８…操作レバー
１０…外パイプ
１１…内パイプ
１２…伸縮棒
１３…糞受け部
１４…長孔
１５…操作ノブ
１６…袋支持アーム
１７…糞受け袋
１８…通し部
１９…リード挿通孔部
２０…照明装置
２１…点消灯スイッチ
【要約】
【課題】リードと糞処理用具とを一体として取り扱えるようにし、糞の処理が簡単に行なえるとともに従来の糞処理用具を別に持つ煩わしさを無くした使い勝手の良好なリード繰り出し装置を提供する。
【解決手段】リード２を繰り出し可能に巻き取る巻き取り手段３を内蔵した装置本体４と、装置本体４に連結された伸縮棒１２に糞受け部１３を設けてなる糞受け具５とを備え、糞受け具５の伸縮棒１２を外パイプ１０の内部に出し入れ可能に収納し内パイプ１１により伸縮可能に設け、内パイプ１１の送り出し方向での先端に糞受け部１３を設けて、この糞受け部１３を内パイプ１１とともに送り出し可能にして外パイプ１０の内部に収納した。
【選択図】図１【図１】
0004182141.tif 000002
【図２】
0004182141.tif 000003
【図３】
0004182141.tif 000004